(57)【要約】【課題】自動販売機等の支持台において、自販機の機器本体Ａの入れ替え時に、汚れた支持台や一部破損した支持台の取り換えも同時行われるが、その際の機器本体の入れ替え設置作業時における支持台の変更作業（支持台の運搬・取り換え支持台の廃棄）の煩雑さを解消する。【解決手段】支持台が、機器本体固定用の足板を止着するための上方細幅開口の装着凹溝１１を上面長手方向に形成してなるコンクリート盤１と、前記コンクリート盤に被冠装着可能で、且つ装着時にコンクリート盤の周面及び角部を被覆し、装着凹溝部分が露出するカバー体２で構成する。【選択図】図１
0003150499.tif 000002
【実用新案登録請求の範囲】
【請求項１】
自動販売機等の機器固定用足板を止着するボルト体を内装可能とした上方細幅開口の装着凹溝を、上面長手方向に形成してなるコンクリート盤に、前記装着凹溝部分が露出するカバー体を被冠装着してなる自動販売機等の設置支持台。
【請求項２】
カバー体が、コンクリート盤単体毎に被冠装着する形状であって、装着時にコンクリート盤の周面及び角部を被覆し、装着凹溝部分が露出する形状としてなる請求項１記載の自動販売機等の設置用支持台。
【請求項３】
カバー体が、自動販売機等の機器本体を支持するために所定の間隔をおいて配置したコンクリート盤に被冠装着する形状であって、装着時に並列配置したコンクリート盤の外側に位置する周面及び角部を被覆し、並列したコンクリート盤の間の空間を覆うと共に、装着凹溝部分が露出する形状としてなる請求項１記載の自動販売機等の設置用支持台。
【請求項４】
カバー体の上面が、装着凹部個所のみが露出する請求項２又は３記載の自動販売機等の設置用支持台。
【請求項５】
カバー体の上面が、装着凹部及び機器固定用足板の止着領域が露出する請求項２又は３記載の自動販売機等の設置用支持台。
【請求項６】
カバー体が、薄樹脂板で形成されてなる請求項２，４，５記載の何れかの自動販売機等の設置用支持台。
【請求項７】
コンクリート盤周面所定箇所に、複数のコンクリート盤を連結して使用する際の連結用螺孔を形成すると共に、カバー体における前記螺孔と対応する位置に、肉厚を薄くして形成する打ち抜き部を設けてなる請求項６記載の自動販売機等の設置用支持台。
【請求項８】
カバー体が、分割形成されると共に、分割片に連結構造を備えさせてなる請求項６又は７記載の自動販売機等の設置用支持台。
【請求項９】
カバー体が、ゴム質体で形成されてなる請求項２，４，５記載の何れかの自動販売機等の設置用支持台。
【請求項１０】
請求項３記載の支持台において、カバー体における並列したコンクリート盤の間の空間を覆う個所の裏面に、補強部若しくは補強部材を組み込んでなる自動販売機等の設置用支持台。
【考案の詳細な説明】
【技術分野】
【０００１】
本考案は、自動販売機等の設置用支持台に関するものである。
【背景技術】
【０００２】
自動販売機等の設置用支持台は、自動販売機のような重量物を、多少軟弱な地盤上でも安定して設置するために採用されるもので、コンクリートブロック製で、表面に上方を細幅開口した装着凹溝を長手方向に形成しているものである。
【０００３】
自動販売機は、機器本体底面に下設した４本の脚杆（ネジ軸）の下端に連設した足板を、前記の装着凹部に頭部を内在させた逆ボルトに止着するようにしているものである（特許文献１，２，３）。
【０００４】
また特に特許文献３には、コンクリート製の支持台の製作時に型枠を使用しないように、予め製品外形と一致するプラスチック型を形成し、前記プラスチック型にコンクリートを流し込んで製出するプラスチック被覆の支持台が開示されている。
【先行技術文献】
【特許文献】
【０００５】
【特許文献１】特開平１１−２３０４９１号公報。
【特許文献２】登録実用新案３０８８３０５号公報。
【特許文献３】特開２００７−１１４８２３号公報。
【考案の概要】
【考案が解決しようとする課題】
【０００６】
自動販売機は、販売物品の変更、機器本体の老朽化等から数年で新しい機器に変更することが行われている。この際、支持台は従前に使用されていた物をそのまま使用することもできるが、当然古い支持台は汚れており、時には角部が欠損していたりしている。
【０００７】
このため自動販売機設置者は、機器の入れ替えと同時に支持台をも新品のものに取り換えることを要求するのが普通である。然し支持台の取り換えは、新品支持台を入れ替え自販機と一緒に設置個所に搬入する必要があり、また使用済み品を廃棄する必要もある。
【０００８】
また自動販売機のコンクリート製支持台は、機体本体の底面左右に配置され、並列しているコンクリート製支持台の間は空間となっており、この空間はゴミの吹きだまりになり易く、また小銭を落とした際に入り込んでしまう場合もある。
【０００９】
そこで本考案は、自動販売機器の入れ替え時に、既設の支持台を新品同様として再使用することができる新規な支持台を提案したものである。
【課題を解決するための手段】
【００１０】
本考案（請求項１）に係る自動販売機等の設置用支持台は、自動販売機等の機器固定用足板を止着するボルト体を内装可能とした上方細幅開口の装着凹溝を、上面長手方向に形成してなるコンクリート盤に、前記装着凹溝部分が露出するカバー体を被冠装着してなるものである。
【００１１】
而してコンクリート盤にカバー体を被冠装着して、通常どおり自動販売機等の設置用支持台として使用し、機器本体の取り換え時においては、従前のカバー体を外し、新品のカバー体を装着することで、支持台を汚れのない状態としてコンクリート盤を再利用するものである。
【００１２】
また本考案（請求項２）に係る自動販売機等の設置用支持台は、特にカバー体が、コンクリート盤単体毎に被冠装着する形状であって、装着時にコンクリート盤の周面及び角部を被覆し、装着凹溝部分が露出する形状としてなるもので、コンクリート盤単体毎にカバー体を装着して使用するものである。
【００１３】
また本考案（請求項３）に係る自動販売機等の設置用支持台は、特に自動販売機等の機器本体を支持するために所定の間隔をおいて配置したコンクリート盤に被冠装着する形状であって、装着時に並列配置したコンクリート盤の外側に位置する周面及び角部を被覆し、並列したコンクリート盤の間の空間を覆うと共に、装着凹溝部分が露出する形状としてなるもので、並列したコンクリート盤の全体を覆うようにしたもので、並列コンクリート盤の空間が塞がれることになり、ゴミの吹きだまりになるのが解消され、また小銭が入り込むのを防止できる。
【００１４】
また本考案（請求項４）に係る自動販売機等の設置用支持台は、前記支持台において、更に、カバー体の上面が、装着凹部個所のみが露出するようにしたもので、カバー体の上面に機器固定用足板が位置するので、カバー体を押さえ込み、カバー体の離脱が防止される。
【００１５】
更に本考案（請求項６，７）に係る自動販売機等の設置用支持台は、特に単体装着のカバー体が薄樹脂板で形成され、コンクリート盤周面所定箇所に複数のコンクリート盤を組み合わせて使用する際の連結用螺孔を形成すると共に、カバー体における前記螺孔と対応する位置に、肉厚を薄くして形成する打ち抜き部を設けてなるものである。
【００１６】
前記構成は、複数コンクリート連結する際に、装着凹溝を利用して連結部材（連結板）によって連結する場合と、前記のとおりコンクリート盤周面に連結用螺孔を設け、隣接するコンクリート盤の連結用螺孔が同一平面となるように並べ、連結部材（連結板）で連結する場合があり、後者の連結構成を採用した場合には、カバー体の打ち抜き部を打撃によって打ち抜き、連結用螺孔を露出させて、カバー体を装着した支持台を連結するものである。
【００１７】
更に本考案（請求項８）に係る自動販売機等の設置用支持台は、前記単体装着の薄樹脂板製のカバー体が、分割形成されると共に、分割片に連結構造を備えさせてなるもので、作業現場での組み立て使用するもので、運搬が容易であり、また複数の色彩の部品を組み合わせて意匠的効果を高めることもできる。
【００１８】
更に本考案（請求項９）に係る自動販売機等の設置用支持台は、特に単体装着のカバー体をゴム質体で形成したもので、コンクリート盤に密着したカバー体を形成でき、また車両による跳ね石によるカバー体の破損が防止できる。
【考案の効果】
【００１９】
本考案は上記のとおり、コンクリート盤とカバー体とで構成した自販機等の支持台で、自販機等の機器本体の取り換え時において、コンクリート盤に多少の破損が生じていたとしても、そのままにしてカバー体の変更のみで支持台の外観変更が可能であり、自販機等の取り換え設置作業を容易にし、且つ廃材も減少させたものである。
【図面の簡単な説明】
【００２０】
【図１】本考案の第一実施形態の全体斜視図。
【図２】同使用状態の説明図。
【図３】同第二実施形態のカバー体の斜視図。
【図４】同使用状態の説明図。
【図５】同第三実施形態のカバー体の分解斜視図。
【図６】同第四実施形態のカバー体の分解斜視図。
【図７】同第五実施形態のカバー体の斜視図。
【図８】同使用状態の説明図。
【考案を実施するための形態】
【００２１】
図１，２は本考案の第一実施形態で、この実施形態に示した自動販売機等の設置用支持台は、コンクリート盤１とカバー体２とで構成される。
【００２２】
コンクリート盤１は、既存の周知構造のものと同様で、自動販売機等を支持するもので、長方形平面で適宜の厚さを備えたコンクリート製で、上面長手方向に、レール状の装着凹部１１を設けたものである。
【００２３】
この装着凹部１１は、自販機等の機器本体Ａの脚杆（ネジ軸）Ｂの下端に連設した足板Ｃを、装着凹部１１に頭部を内在させた逆ボルトＤで止着するためのもので、逆ボルトＤの頭部が離脱しないように、上方を細幅開口したものである。
【００２４】
また前端面には、コンクリート盤１を並列して、連結部材（連結板）で連結するために、連結用螺孔１２を設けているものである。
【００２５】
カバー体２は、適度の堅牢性を備えた薄樹脂板で、前記コンクリート盤１の外形に対応して形成されるもので、上面に前記装着凹部１１の個所のみが露出する開口部２１を設け、更に前記螺孔１２と対応する位置に、肉厚を薄くしたラインを形成して、打ち抜き部２２を設けたものである。
【００２６】
而してコンクリート盤１にカバー体２を被冠装着し、通常とおり足板Ｃをカバー体２の開口部２１を跨いでカバー体２の上面に位置させ、逆ボルトＤで固定することで、機器本体Ａの設置を行うものである。
【００２７】
特に２個の支持台を一体として組み合わせ使用する場合には、カバー体２の前面の打ち抜き部２２に打撃を加え、肉薄ラインで分離させて抜き打ち透孔を形成し、連結用螺孔１２を露出させ、適宜な連結板を使用して、カバー体２を被冠装着した隣接コンクリート盤１を互いに連結して一体化する。勿論単体使用の場合には、打ち抜き部２２はそのままで使用する。
【００２８】
その後機器本体Ａの入れ替え時に、支持台が汚れていたり、破損（特にコンクリート盤１の角部が壊れやすい）していても、カバー体２を取り換えるのみで、外観上機器本体Ａと同様に支持台も新品となる。勿論色彩についても、予め色彩の異なるカバー体２を数種類用意しておき、選択採用することで入れ替え機器本体Ａと馴染むものを採用することができる。
【００２９】
また図３，４は第二実施形態を示すもので、この実施形態のカバー体３は、上面を広く開口し、コンクリート盤１の角部のみを保護するようにしたものであり、第一実施形態と同様に使用できるが、足板Ｃは、コンクリート盤１の上面に直接載置されることになる。
【００３０】
図５は第三実施形態を示すもので、この実施形態のカバー体４は、第二実施形態のカバー体３を分割片４１，４２，４３で形成したもので、分割片４１はコンクリート盤１の角部形状に対応するもので、前記角部の上面を覆う形状としたものであり、分割片４２，４３は、各々短辺周板、長辺周板を構成するものである。
【００３１】
これらの分割片４１，４２，４３には、例えば当接する端縁面に、挿込突部４４及び挿込突部４４が圧入される穴部４５を設けておく。
【００３２】
而して前記の第三実施形態のカバー体４は、前記の各実施形態のカバー体２，３と同様に、分割片４１，４２，４３を組み立て、コンクリート盤１に被冠装着するものである。
【００３３】
特にこの第三実施形態のカバー体４は、特に機体本体Ａの入れ替え時に限定されず、既設のコンクリート支持台の表面に、カバー体４を組み立て乍ら装着することができる。また色彩の異なる分割片を組み合わせ、特異な外観を備えたカバー体とすることができる。
【００３４】
更に図６（第四実施形態）に示すように、カバー体５のように、コンクリート盤１の周面と上面の外縁部分を覆うように、ゴム質材で形成するようにしても良い。ゴム質材で形成した場合には、コンクリート盤１の前面の連結用螺孔１２を使用する必要があった場合には、鋏等で開口する。
【００３５】
図７，８は第五実施形態を示したもので、この実施形態のカバー体６は、自動販売機等の機器本体Ａを支持するために所定の間隔をおいて配置したコンクリート盤１に被冠装着する形状であって、本体Ａ装着時に並列配置したコンクリート盤の外側に位置する周面及び角部を被覆し、並列したコンクリート盤の間の空間を覆うと共に、装着凹溝部分が露出する開口部２１を備えているものである。
【００３６】
前記の第五実施形態のカバー体６は、所定間隔をおいて並列した両コンクリート盤１の全体に被せるもので、前記の各実施形態のカバー体と同様に機体本体Ａの入れ替えに際して、カバー体６のみを取り換えることで、コンクリート盤１はそのまま使用するものである。
【００３７】
而も機体本体Ａの下方空間Ｅがカバー体６で塞がれることになるので、前記下方空間Ｅにゴミが吹きだまることが無く、また落とした小銭が入り込むのを防止できる。
【００３８】
尚カバー体６の上面の開口部形状は、足板Ｃがカバー体６の上面に位置するようにしても良いし、又は足板Ｃが直接コンクリート盤１の上面に載置される大きさとしても良い。またカバー体６は扁平臥箱型となるので、必要に応じ並列したコンクリート盤１の間の空間を覆う個所の裏面に、適宜な補強処理（リブ：補強部を設けたり、金属杆：補強部材を装着する）を施しても良い。
【００３９】
以上のように本考案は、自販機等の機器の支持台をコンクリート盤とカバー体で構成することで、支持台の取り換えに際してはカバー体のみの変更で実施することができ、取り換え用コンクリート盤を設置個所に運搬する必要もなく、更に既存使用のコンクリート盤１の廃棄を行うこともなく、更に仮に既存使用のコンクリート盤１の一部が多少損傷していたとしても、使用に差し支えない限りカバー体で隠蔽することができる利点も有するものである。
【符号の説明】
【００４０】
１      コンクリート盤
１１    装着凹部
１２    連結用螺孔
２，３，４，５，６    カバー体
２１    開口部
２２    打ち抜き部
４１，４２，４３  分割片
４４    挿込突部
４５    穴部  
Ａ      機器本体
Ｂ      脚杆
Ｃ      足板
Ｄ      逆ボルト
Ｅ      機体本体下方空間
【図１】
0003150499.tif 000003
【図２】
0003150499.tif 000004
【図３】
0003150499.tif 000005
【図４】
0003150499.tif 000006
【図５】
0003150499.tif 000007
【図６】
0003150499.tif 000008
【図７】
0003150499.tif 000009
【図８】
0003150499.tif 000010